(57)【要約】　　　（修正有）【課題】ホタテ貝類をロープに所定の間隔で耳吊りして、垂下養殖の中間に、貝の殻表面洗浄作業を行うための貝殻表面洗浄方法及び洗浄装置を提供する。【解決手段】海から船上に耳吊り用サイドホイル４を介して引き揚げられた耳吊り養殖貝１１は搬送路へ移動する方向の移動コンベア１６入口部に配置されている矯正器３によって貝を平らに均され、圧力水で洗浄された後、概ね水平な引き揚げ耳吊り貝吊りロープ１０に垂下状となって、ロープ鋏抑え機構を備えた耳吊貝引揚げホイル機１、貝送りロール１７をへてコンベア１２を通り先端３１に設置した幹綱用サイドローラ１３に送られ、該幹綱用サイドローラ１３に案内された幹綱６に耳吊り貝のロープ１０の前方を結び海に戻すことにより垂下養殖中の貝殻表面を洗浄する貝殻表面洗浄装置である。【選択図】　　　　図１
2004008209.tif 000002
【特許請求の範囲】
【請求項１】
ホタテ貝類をロープに所定の間隔で耳吊りして、海中で垂下養殖の中間に必要な貝の殻表面洗浄を行うためにロープに耳吊り貝が吊った状態で海中より引き揚げながら耳吊り貝を洗浄後に又海に戻す耳吊り貝洗浄において、耳吊り貝引き揚げ時の重量を耳吊り貝吊し糸、アゲピン等に負担を掛けることなく耳吊り貝を吊しているロープのみで引き揚げ耳吊り貝洗浄中の脱落貝を防止する耳吊り貝は海中より引き揚げ移動中に耳吊り貝用サイドホイルを通過後洗浄前に貝の姿勢を矯正器によって平らに均し圧力水で洗浄され移動コンベアを離れた瞬間に耳吊り貝ロープに貝は垂下状となるを利用して引き揚げホイル機各ホイル羽板の下方でロープ通路溝のロープのみを挟み押さえで固定しホイル機の回転でホイル羽板が上方に達すればロープ挟み押さえが開放されを繰り返して耳吊り貝を吊しているロープのみで耳吊り貝を引き揚げる耳吊り貝引き揚げホイル機を利用して洗浄することを特徴とする耳吊り養殖ホタテ貝類貝殻表面洗浄方法。
【請求項２】
ロープ押さえの先端を湾屈状で中央に滑り止め突起を設けた耳吊貝引揚げホイル機を設置したことを特徴とする請求項１記載の耳吊り養殖ホタテ貝類貝殻表面洗浄装置。
【請求項３】
ロープ押さえの先端を平状にして中央に滑り止め突起を設けた耳吊貝引揚げホイル機を設置したことを特徴とする請求項１記載の耳吊り養殖ホタテ貝類貝殻表面洗浄装置。
【発明の詳細な説明】
【０００１】
【発明の属する技術分野】本発明は、耳吊り養殖ホタテ貝の貝殻表面洗浄方法及び洗浄装置に関する。
【０００２】
【従来の技術】従来から、ホタテ貝類をロープに所定の間隔で耳吊りして、海中で垂下養殖の中間に必要な貝の殻表面洗浄を行うためにロープに耳吊り貝が吊った状態で海中より引き揚げながら耳吊り貝を洗浄後に又海に戻す耳吊り貝洗浄機がある。
【０００３】
【発明が解決しようとする課題】ホタテ貝類をロープに所定の間隔で耳吊りして、海中で垂下養殖の中間に必要な貝の殻表面洗浄を行うためにロープを海中より引き揚げ牽引洗浄中にロープより貝の脱落が多くて困っていた。
【０００４】
【課題を解決するための手段】上記目的を達成するために講じた技術的手段は、請求項１は耳吊り貝引き揚げ時の重量を耳吊り貝吊し糸、アゲピン等に負担を掛けることなく耳吊り貝を吊しているロープのみで引き揚げ耳吊り貝洗浄中の貝がホイル羽板の衝撃にあわずに脱落貝を防止する耳吊り貝引き揚げホイル機を設置したことことを要旨とする。請求項２はロープ通路溝にロープが巻き上げられ、通過時にロープを挟み固定する湾屈状のロープ押さえを設けその中央に滑り止め突起を設けた耳吊貝引揚げホイル機を設置したことを要旨とする。更に、請求項３はロープ押さえの先端を平状にして中央に滑り止め突起を設けた耳吊貝引揚げホイル機を設置したことを要旨とする。
【０００５】
【作用】上記技術的手段によれば、下記の作用がある。
（請求項１）耳吊り貝を吊しているロープのみで引き揚げるので、耳吊り貝吊し糸、アゲピン等に負担を掛けることなく耳吊り貝洗浄中の脱落貝を最小限にすることが出来る。
（請求項２）耳吊り貝を海中より引揚げる際にロープ通路溝にロープが通過時、ロープを挟みかなりの牽引する重量負荷に耐えるロープ押さえで固定し耳吊り貝がホイル羽板の衝撃にあわずに脱落貝を防止し引揚げ作業が出来る。更に、滑り止めの突起を設けたことで牽引する重量負荷が更に強力になる。
（請求項３）ロープにも種類があり組み紐状ロープは中央部が空洞になりロープ押さえが押さえたときロープは平状となり湾屈状のロープ押さえよりさらに押さえ面積が広くなり強力となる。又、耳吊り貝養殖中間で海中の自然の海流等で耳吊り貝のロープに滑りやすい海草等が付着する場合があるが、一旦洗浄されても微細な海草等が残りロープが滑りやすいが、本機はロープ押さえの先端の突起でロープを刺しているので平常のロープ押圧力でも滑ることなくロープを引き揚げることが出来る。
【０００６】
【実施例】本発明の実施例を図１乃至図７に基づいて説明する。図１に示すように海から船上に耳吊り貝用サイドホイル４を介して引き揚げられた耳吊り養殖貝１１は搬送路へ移動する方向の移動コンベア１６入口部に配置されている矯正器３によって貝を平らに均し、耳吊り養殖貝１１が圧力水で洗浄後移動コンベア１６を離れた瞬間に概ね水平な引き揚げ耳吊り貝吊りロープ１０に垂下状となるので、左右に立ち上げたホイル支柱２４を中心にホイルが回転し、ロープ押さえ１９連結アーム２９に連結したローラー２７が耳吊貝引揚げホイル機１の回転を介して耳吊貝引揚げホイル機１が回転可能に支承される引き揚げホイル機１のホイル羽板１８の下方で耳吊り貝ロープ通路溝３０にロープ１０のみが入りやすく溝に入ったロープ１０は引き揚げホイル機１のホイル羽板１８側面２０よりロープ挟み押さえ器具でロープ１０を固定し引き揚げホイル機１のホイル羽板１８ロープ通路溝３０が上方に達すればロープ挟み押さえ器具が引き揚げロープの挟み押さえが開放される機構になっているのでその繰り返しで耳吊り貝引き揚げ洗浄が継続されて洗浄された耳吊り養殖貝１１は引き揚げホイル機１上方の貝送りロール１７をへてコンベア１２を通り船端３１に設置した幹綱用サイドローラー１３に案内された幹綱６に耳吊り貝のロープ１０の前方を結び海に戻すことになる。耳吊貝引揚げホイル機１のホイル軸２５の回転にともない固定したロープ押さえ伸縮ガイド装置２６の案内で移動し、ロープ押さえ連結アーム２９と連結アーム２８を連結し、連結アーム２８に一方を固定した引張りスプリング２１を設け中間にロープ押さえ１９を連結しもう一方は回動支持軸４５に回動軸支する。よって、耳吊貝引揚げホイル機１の回転によりロープ押さえ１９が移動しロープ通路溝３０のロープ１０を固定したり、開放したりする。耳吊り貝ロープ１０を海中からの引揚げ時に耳吊貝引揚げホイル機１通過時にロープ押さえ１９と固定しているロープ受け台２２にロープ１０をがっちり押さえ掴みロープ１０の滑り等を防ぎ、ロープ押さえ１９の先端の形状は図４に示すとおり平状３３等ありロープ１０の太さや作業の種類に応じて変更してもよく更に、ロープ押さえ１９の平状３３、湾屈状３４の先端に滑り止めの突起３２を設けると更に大きな重量負荷でも滑りずれることなく安心して作業ができる。ロープ１０引揚げの際、ロープ押さえ１９の先端部の滑り止め突起３２の先端も円錐状に形成されているのでロープの損傷等もほとんどない。ホイル羽板１８の数も耳吊貝引揚げホイル機の大きさや用途に応じて増減しても良い。又、洗浄廃水処理には図示していないが弊社出願中の特開２００１−３１０１０４号の付着物除去廃水処理機を本機の廃水集合受け皿４７の廃水出口９の下方に設置して廃水を処理することも出来る。
【０００７】尚幹綱６より解いた耳吊り養殖貝１１の１本目の洗浄は各器具を通し２本目からは１本目の耳吊り貝ロープ１０の後方に２本目前方ロープ１０を結ぶことにより次々と耳吊り養殖貝１１が洗浄され迂回して船端３１近傍で１本目と２本目の結びを解いて１本目は耳吊り養殖貝１１のロープ１０の前方は幹綱６に結んで既に海中に入っているので、２本目のロープ１０の前方をロープ１０を吊す幹網６に所定の間隔で結ぶことになる。上記繰り返しにより耳吊り養殖貝１１の洗浄の作業が継続できる。
実施例では動力はモーターを使用しているが、油圧、エンジン等も良い。
【０００８】
【発明の効果】本発明は以上のように構成したから下記の利点がある。
（請求項１）耳吊り貝を引き揚げながら同時に洗浄してもロープのみに重量負荷がかかり、耳吊り貝や、貝吊し糸に負担を掛けることなく小型で船上作業の負担を軽減し、安全でかつ脱落貝を防止する事が出来る。
（請求項２）耳吊り貝が貝の吊し穴、糸、アゲピンより脱落せず安心して作業ができる。
（請求項３）ロープにも種類があり組み紐状ロープは中央部が空洞になりロープ押さえが押さえたときロープは平状となり湾屈状のロープ押さえよりさらに押さえ面積が広くなり強力となる。耳吊り貝養殖中間で海中の自然の海流等で耳吊り貝のロープに滑りやすい海草等が付着する場合があるが、一旦洗浄されても微細な海草等が残りロープが滑りやすいが、本機はロープ押さえの先端の突起でロープを刺しているので平常のロープ押圧力でも滑ることなくロープを引き揚げることが出来る。
【図面の簡単な説明】
【図１】本発明の実施例の側面図を示す。
【図２】本発明の実施例の平面図を示す。
【図３】本発明の実施例の耳吊貝引揚げホイル拡大図を示す。
【図４】本発明の実施例のロープ押さえ拡大図を示す。
【図５】本発明の実施例のロープ押さえ拡大図を示す。
【図６】本発明の実施例のロープ押さえ拡大図を示す。
【図７】本発明の実施例のロープ押さえ拡大図を示す。
【図８】海中での垂下養殖を示す。
【図９】ロープ押さえ伸縮ガイド装置平面図を示す。
【図１０】ロープ押さえ伸縮ガイド装置側面図を示す。
【符号の説明】
１：　引き揚げホイル機
２：　本体枠
３：　矯正器
４：　耳吊り貝用サイドホイル
５：　モーター
６：　幹綱
７：　洗浄貝押さえ
８：　回転洗浄ノズル
９：　廃水出口
１０：　ロープ
１１：　耳吊り養殖貝
１２：　コンベア
１３：　幹綱用サイドローラー
１４：　洗浄水防止カバー
１５：　コンベア貝出口伸縮ガイド
１６：　移動コンベア
１７：　貝送りロール
１８：　ホイル羽板
１９：　ロープ押さえ
２０：　ホイル側板
２１：　引き張りスプリング
２２：　ロープ受け台
２３：　支柱締付固定ボルト
２４：　ホイル支柱
２５：　ホイル軸
２６：　ロープ押さえ伸縮ガイド装置
２７：　ロープ押さえ伸縮用ガイド回転ローラ
２８：　ロープ押さえ伸縮連結アーム
２９：　ロープ押さえ連結アーム
３０：　ロープ通路溝
３１：　船端
３２：　滑り止め突起
３３：　平状
３４：　湾屈状
３５：　移動コンベアロール
３６：　垂下状となった耳吊り貝
３７：　ローラガイド平面部
３８：　ローラガイド
３９：　支柱取付穴
４０：　逆転用ギヤー
４１：　ローラガイドローラ上がり部
４２：　ローラガイドローラ下り部
４３：　伝導チェーン
４４：　付勢調節螺子杆
４５：　回動支持軸
４６：　ホイル軸通し穴
４７：　廃水集合受け皿
４８：　チェーンホイル
【図１】
2004008209.tif 000003
【図２】
2004008209.tif 000004
【図３】
2004008209.tif 000005
【図４】
2004008209.tif 000006
【図５】
2004008209.tif 000007
【図６】
2004008209.tif 000008
【図７】
2004008209.tif 000009
【図８】
2004008209.tif 000010
【図９】
2004008209.tif 000011
【図１０】
2004008209.tif 000012